(57)【要約】【課題】ユーザによる設定を不要にすることができる波長設定システム、波長設定方法、及びプログラムを得る。【解決手段】光分離多重パッケージとトランスポンダとが光信号の伝送を行う第１のケーブルにより接続された波長多重光伝送システムであって、光分離多重パッケージは、トランスポンダと接続される側に各々が固有の波長情報を有する第１の通信手段を、トランスポンダは、光分離多重パッケージと接続される側に第２の通信手段をそれぞれ備え、固有の波長情報は、第１のケーブルとは異なる第２のケーブルを用いて、第１の通信手段から第２の通信手段へ送信される。【選択図】図１
2012165332.tif 000002
【特許請求の範囲】
【請求項１】
光分離多重パッケージとトランスポンダとが光信号の伝送を行う第１のケーブルにより接続された波長多重光伝送システムであって、
前記光分離多重パッケージは、前記トランスポンダと接続される側に各々が固有の波長
情報を有する第１の通信手段を、
前記トランスポンダは、前記光分離多重パッケージと接続される側に第２の通信手段をそれぞれ備え、
前記固有の波長情報は、前記第１のケーブルとは異なる第２のケーブルを用いて、前記第１の通信手段から前記第２の通信手段へ送信されることを特徴とする波長多重光伝送システム。
【請求項２】
前記トランスポンダは、前記固有の波長情報を受信すると、励起用半導体レーザの波長設定を行うことを特徴とする請求項１に記載の波長多重光伝送システム。
【請求項３】
光分離多重パッケージとトランスポンダとが光通信信号の伝送を行うケーブルにより接続された波長多重光伝送システムであって、
前記光分離多重パッケージは、前記トランスポンダと接続される側に各々が固有の波長
情報を有する第１の通信手段を、
前記トランスポンダは、前記光分離多重パッケージと接続される側に第２の通信手段をそれぞれ備え、
前記固有の波長情報は、前記ケーブルを用いて、前記第１の通信手段から前記第２の通信手段へ送信されることを特徴とする波長多重光伝送システム。
【請求項４】
前記光分離多重パッケージは、前記固有の波長情報を光信号に変換する電気／光変換手段と、前記光信号を前記光通信信号に合波する光合波手段とを備え、
前記トランスポンダは、前記光通信信号から前記光信号を分波する光分波手段と、前記光信号を前記固有の波長情報に変換する光／電気変換手段とを有することを特徴とする請求項３に記載の波長多重光伝送システム。
【請求項５】
前記トランスポンダは、前記固有の波長情報を受信すると、励起用半導体レーザの波長設定を行うことを特徴とする請求項３又は４に記載の波長多重光伝送システム。
【請求項６】
光分離多重パッケージとトランスポンダとが光信号の伝送を行う第１のケーブルにより接続され、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備えた波長多重光伝送システムの伝送方法であって、
前記固有の波長情報は、前記第１のケーブルとは異なる第２のケーブルを用いて、前記第１の通信手段から前記第２の通信手段へ送信される工程を含むことを特徴とする波長多重光伝送方法。
【請求項７】
光分離多重パッケージとトランスポンダとが光通信信号の伝送を行うケーブルにより接
続され、前記光分離多重パッケージは、前記トランスポンダと接続される側に各々が固有
の波長情報を有する第１の通信手段を、前記トランスポンダは、前記光分離多重パッケー
ジと接続される側に第２の通信手段をそれぞれ備えた波長多重光伝送システムの伝送方法
であって、
前記固有の波長情報は、前記ケーブルを用いて、前記第１の通信手段から前記第２の通信手段へ送信される工程を含むことを特徴とする波長多重光伝送方法。
【請求項８】
光分離多重パッケージとトランスポンダとが光信号の伝送を行う第１のケーブルにより接続され、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備えた波長多重光伝送システムを制御するプログラムであって、
前記固有の波長情報は、前記第１のケーブルとは異なる第２のケーブルを用いて、前記第１の通信手段から前記第２の通信手段へ送信される処理を含むことを特徴とするプログラム。
【請求項９】
光分離多重パッケージとトランスポンダとが光通信信号の伝送を行うケーブルにより接
続され、前記光分離多重パッケージは、前記トランスポンダと接続される側に各々が固有
の波長情報を有する第１の通信手段を、前記トランスポンダは、前記光分離多重パッケー
ジと接続される側に第２の通信手段をそれぞれ備えた波長多重光伝送システムを制御する
プログラムであって、
前記固有の波長情報は、前記ケーブルを用いて、前記第１の通信手段から前記第２の通信手段へ送信される処理を含むことを特徴とするプログラム。
【発明の詳細な説明】
【技術分野】
【０００１】
本発明は、波長多重光伝送システム、波長多重光伝送方法、及びプログラムに関する。
【背景技術】
【０００２】
従来から、光伝送装置においては、多重前のクライアント信号を多数収容するため、光ファイバケーブル１回線当たりの伝送容量を増大させることを目的として、１本の光ファイバケーブルに複数の異なる波長の光信号を多重する方式の波長分割多重通信（ＷＤＭ：Wavelength Division Multiplex）方式が主流となっている。
【０００３】
このＷＤＭ方式の構築にあたっては、広帯域波長の光信号を狭帯域波長の光信号へと変換するトランスポンダ（中継器：Transponder）が必要となるが、近年の多重化される波長数の増加に伴い、このトランスポンダも多波長化している。すなわち、特定の波長にのみ対応可能なトランスポンダではなく、波長の切替えが可能なトランスポンダが多く利用されている。
【０００４】
ここで、トランスポンダについて簡単に説明すると、トランスポンダとは、クライアント側から入力された広帯域波長の光信号を、狭帯域波長の光信号へと変換して出力し、波長多重光伝送装置に入力する装置のことをいい、ＩＴＵ−Ｔ（International Telecommunication Union Telecommunication Standardization Sector）において規定される波長配置である１９３．１００ＴＨｚ±１００ＧＨｚ×Ｎ（Ｎは整数）若しくは１９３．１００ＴＨｚ±５０ＧＨｚ×Ｎ（Ｎは整数）に適合するような波長変換を行う。
【０００５】
近年、ＷＤＭ方式において多重化させる波長の数も増加していることから、トランスポンダは、光波長の切替えが可能であることを求められている。すなわち、波長の切替え可能な励起用半導体レーザー（ＬＤ：Laser Diode）が、トランスポンダ内部において利用される。このような波長の切り替え可能なトランスポンダは、外部から設定された特定の光波長の光信号を出力することになる。
【０００６】
そして、波長の切り替えが可能なトランスポンダが特定の波長で光信号を出力するには、特定の光波長がトランスポンダに対して設定されなければならない。このトランスポンダの波長多重光伝送装置との送受信部では、ユーザからの設定に応じて波長配置の任意の１波を選択するチューナブル（波長可変）機能を有している。
【０００７】
ここで、波長多重光伝送装置について簡単に説明すると、波長多重光伝送装置の送信部は、１つ又は複数のトランスポンダから入力された狭帯域波長の光信号を、波長多重部において多重化し、伝送に必要な光レベルまで光増幅して、ネットワーク側に出力する。また、波長多重光伝送装置の受信部は、ネットワーク側から入力された光信号を、伝送において劣化した光レベルを回復するべく光増幅し、波長分離部において各々の光波長に分離し、１つ又は複数のトランスポンダにそれぞれ出力する。
【０００８】
また、トランスポンダと波長多重光伝送装置との関係について考えると、波長多重光伝送装置における波長多重部の各ポートは、それぞれ特定の波長にのみ対応し、波長多重光伝送装置における波長分離部の各ポートは、それぞれ特定の波長にのみ対応するので、特定の波長を出力するトランスポンダと、この特定の波長にのみ対応する波長多重部の特定のポートと、同じくこの特定の波長にのみ対応する波長分離部の特定のポートとは、セットとして考えることが可能である。このため、トランスポンダと波長多重部の特定のポートとがケーブルで接続される必要があり、トランスポンダと波長分離部の特定のポートとがケーブルで接続される必要がある。
【０００９】
すなわち、トランスポンダから出力された特定の光波長の光信号が、この特定の光波長にのみ対応する波長多重部の特定のポートに入力され、また、この特定の光波長の光信号にのみ対応する波長分離部の特定のポートから出力された光信号が、このトランスポンダに入力された状態が、光波長の切り替え可能（チューナブル）なトランスポンダに、適切な光波長が設定された状態である。
【００１０】
すなわち、この波長設定においては、波長多重光伝送装置内のアレイ導波路グレーティング（ＡＷＧ：Array Waveguide Gratings）を搭載する光分離多重部の、どのポート（ＣＨ）に設定対象たるトランスポンダが接続されるか、という光ケーブルの物理的な接続により適切な波長は一意に決まるものである。
【００１１】
図３は、従来の波長多重光伝送システム（ＷＤＭ）の構成を示す概略図である。ＷＤＭシステム置では、主信号を伝送する複数のパッケージ（トランスポンダパッケージ３３、３４）と、それを監視する監視制御パッケージ３２とが存在する。この監視制御パッケージ３２と主信号パッケージ（トランスポンダパッケージ３３、３４）とは設定、警報、性能の各情報を伝達するための通信バスＷ１、Ｗ２により接続されている。
【００１２】
監視制御パッケージ３２にはＣＰＵ（Central Processing Unit）（図示せず）及び記憶領域（図示せず）が存在し、記憶領域に保存されているソフトウェアにより監視制御パッケージ３２内のＣＰＵは制御される。主信号パッケージ（トランスポンダパッケージ３３、３４）にはＣＰＵ（図示せず）及び記憶領域（図示せず）が存在し、記憶領域に保存されているソフトウェアにより監視制御パッケージ３２内のＣＰＵは制御される。
【００１３】
主信号パッケージ（トランスポンダパッケージ３３、３４）上のソフトウェアは、ユーザ端末／上位監視システム３１から入力された情報Ｃに基づき、監視制御パッケージ３２内の制御対象デバイス（トランスポンダパッケージ３３、３４）に対して制御を行う。トランスポンダパッケージ３３、３４は、波長情報Ｃ１、Ｃ２を光分岐多重パッケージ３５のＷＤＭ出力デバイス（ＡＷＧ３５１）に設定し、光出力波長を上記ＩＴＵ−Ｔにて規定される波長配置の中で選択した１つに固定する機能を有する。その後、固定された光波長の出力が、光増幅パッケージ３６のＥＤＦＡ（Erbium Doped-Fiber Amplifier）（ＴＸ）（エルビウム添加光ファイバ増幅器）３６１から送信される。また、光増幅パッケージ３６のＥＤＦＡ（ＲＸ）３６２から受信される入力部（ＡＷＧ３５２）についても、波長設定が必要なデバイスが存在する場合には波長設定を行う。
【００１４】
このように、従来技術では、トランスポンダパッケージ３３、３４と光分岐多重パッケージ３５の物理的な接続を認識する方法はなく、ユーザ端末／上位監視システム３１からユーザが波長を入力し、監視制御パッケージ３２にて入力コマンドＣを受け、装置内通信によりトランスポンダパッケージ３３、３４に設定を伝達していたので、ＷＤＭシステムにおいて、波長番号の登録はユーザにとって手間がかかり、誤設定の可能性もある煩わしい行為であった。また、ユーザ端末／上位監視システム３１においても、波長番号の設定に伴い設定の重複を避けるための仕組みを設け、また、上流局と下流局との間で同一の波長パスを構成するトランスポンダパッケージに同一の波長番号が割り当てられているか確認する仕組みなど設計の複雑さを齎していた。
【先行技術文献】
【特許文献】
【００１５】
【特許文献１】特開２００８−０２８９２８号公報
【発明の概要】
【発明が解決しようとする課題】
【００１６】
しかしながら、この光ケーブルの物理的な接続は一般に固定的に定まるものではない。すなわち、トランスポンダはクライアント信号を収容するインタフェース部であるという性質上、クライアントの収容数に応じて増設されるものであり、トランスポンダ装置内における光ケーブルの搭載位置はフレキシブルにしておく必要が有り、搭載位置に依存のない波長を割り当てることが運用上望ましいからである。
【００１７】
一方で、この接続の設定は、人為的な設定によって行われていた。具体的に説明すると、まず、トランスポンダと波長多重光伝送装置における波長多重部及び波長分離部との物理的な接続に関する情報（例えば、トランスポンダと波長多重部の各ポートとの接続情報、トランスポンダと波長分離部の各ポートとの接続情報等）が人為的に確認され、制御端末によって、波長多重光伝送装置における制御部に人為的に設定される。
【００１８】
また、波長多重部および波長分離部の各ポートは、各々特定の光波長にのみ対応するポートであるので、制御端末によって、各々のポートに対応する特定の光波長情報も人為的に設定される。次に、設定されたこれらの情報が、波長多重光伝送装置における制御部からトランスポンダを制御する制御部に通知される。すると、トランスポンダを制御する制御部は、通知された光波長情報を元に、トランスポンダに対して特定の波長を設定する。
【００１９】
さらに、トランスポンダに対する光波長の設定が、上記したような人為的な確認や設定によって行われると、波長多重数の増加に伴い、人為的な作業の負担や操作ミスの可能性が高くなるおそれがあるという問題がある。
【００２０】
このような状況下で、ユーザは装置内のトランスポンダが光分離多重部の、どのポートに接続されるべきであるかを、装置構築時の波長配置計画に基づいて判断し、波長を設定していくことになるため、ユーザにとっては手間がかかり誤設定を生じさせやすいという問題もあり、また、ユーザ端末／上位監視システムのようなソフトウェアを設計する上で、本来ユーザが自由に設定することができない設定項目をユーザに入力させるといった不親切で使いにくいＧＵＩ（Graphical User Interface）を生んでしまっているという課題もある。
【００２１】
そこで本発明は、上記従来の問題点に鑑みてなされたもので、チューナブル（波長可変）トランスポンダ（中継器）と、光分離多重部の物理的な接続により、チューナブルトランスポンダの波長を選択することにより、ユーザによる設定を不要にすることができる波長多重光伝送システム、波長多重光伝送方法、及びプログラムを提供することを目的とする。
【課題を解決するための手段】
【００２２】
上記課題を解決するため、本発明における波長多重光伝送システムは、光分離多重パッケージとトランスポンダとが光信号の伝送を行う第１のケーブルにより接続された波長多重光伝送システムであって、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備え、前記固有の波長情報は、前記第１のケーブルとは異なる第２のケーブルを用いて、前記第１の通信手段から前記第２の通信手段へ送信されることを特徴とする。
【００２３】
また、本発明における波長多重光伝送システムは、光分離多重パッケージとトランスポンダとが光通信信号の伝送を行うケーブルにより接続された波長多重光伝送システムであって、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備え、前記固有の波長情報は、前記ケーブルを用いて、前記第１の通信手段から前記第２の通信手段へ送信されることを特徴とする。
【００２４】
さらに、本発明における波長多重光伝送方法は、光分離多重パッケージとトランスポンダとが光信号の伝送を行う第１のケーブルにより接続され、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備えた波長多重光伝送システムの伝送方法であって、前記固有の波長情報は、前記第１のケーブルとは異なる第２のケーブルを用いて、前記第１の通信手段から前記第２の通信手段へ送信される工程を含むことを特徴とする。
【００２５】
また、本発明における波長多重光伝送方法は、光分離多重パッケージとトランスポンダとが光通信信号の伝送を行うケーブルにより接続され、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備えた波長多重光伝送システムの伝送方法であって、前記固有の波長情報は、前記ケーブルを用いて、前記第１の通信手段から前記第２の通信手段へ送信される工程を含むことを特徴とする。
【００２６】
そして、本発明におけるプログラムは、光分離多重パッケージとトランスポンダとが光信号の伝送を行う第１のケーブルにより接続され、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備えた波長多重光伝送システムを制御するプログラムであって、前記固有の波長情報は、前記第１のケーブルとは異なる第２のケーブルを用いて、前記第１の通信手段から前記第２の通信手段へ送信される処理を含むことを特徴とする。
【００２７】
また、本発明におけるプログラムは、光分離多重パッケージとトランスポンダとが光通信信号の伝送を行うケーブルにより接続され、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備えた波長多重光伝送システムを制御するプログラムであって、前記固有の波長情報は、前記ケーブルを用いて、前記第１の通信手段から前記第２の通信手段へ送信される処理を含むことを特徴とする。
【発明の効果】
【００２８】
本発明によれば、チューナブル（波長可変）トランスポンダ（中継器）の波長設定が不要となることで、誤設定がなくなると共に、ユーザの設定時間が短縮され、ユーザ端末／上位監視システムによる波長設定が不要となるため、設計が簡素な波長多重光伝送システム、波長多重光伝送方法、及びプログラムを得ることができる。
【図面の簡単な説明】
【００２９】
【図１】本発明の実施形態における波長多重光伝送システムの構成を示す概略図である。
【図２】本発明の他の実施形態における波長多重光伝送システムの構成を示す概略図である。
【図３】従来の波長多重光伝送システムの構成を示す概略図である。
【発明を実施するための形態】
【００３０】
次に、本発明を実施するための形態について図面を参照して詳細に説明する。なお、各図中、同一又は相当する部分には同一の符号を付しており、その重複説明は適宜に簡略化乃至省略する。本発明の内容を具体的に説明すると、チューナブルトランスポンダ（波長可変中継器）と、光分岐多重部の物理的な接続により、チューナブルトランスポンダの波長を自動的に選択し、ユーザの設定を不要とするというものである。
【００３１】
図１は、本発明の実施形態における波長多重光伝送システムの構成を示す概略図である。図１において、光分岐多重パッケージ１には、トランスポンダパッケージ２と接続される側の各ポートに、光信号通信Ｌとは別の電気通信を行う通信デバイス１０１、１０２が設けられている。トランスポンダパッケージ２には、光分岐多重パッケージ１側ポートに、光通信信号Ｌとは別の電気通信を行うための通信デバイス２０１が設けられている。
【００３２】
光分岐多重パッケージ１とトランスポンダパッケージ２間を接続するケーブルは、光ケーブルＬに、電気信号を疎通させるメタル線Ｄが並行するハイブリッドケーブルが用いられている。光分岐多重パッケージ１と、トランスポンダパッケージ２とが、光・メタルハイブリッドケーブルにより接続されると、両パッケージは電気通信を行う。光分岐多重パッケージ１の各ポートに設置されている通信デバイス１０１、１０２は、固有の波長番号（ＣＨ１、ＣＨ２）を有し、電気通信によりトランスポンダパッケージ２に波長番号（ＣＨ１、ＣＨ２）を伝達する。
【００３３】
トランスポンダパッケージ２は、波長を可変できるチューナブルトランスポンダパッケージであり、光分岐多重パッケージ１の接続ポートと電気信号による通信を行い、ポートの波長情報（ＣＨ１、ＣＨ２）を受信する。この受信した波長情報を用いて、ＷＤＭ出力デバイスである励起用半導体レーザ（ＬＤ）２１や、その他波長設定を必要とするデバイスへの制御を行う。これにより、トランスポンダパッケージ２は、ユーザ端末／上位監視システム３１（図３）からの設定を必要とすることなく物理的な接続に適合した波長を選択することが可能となる。
【００３４】
次に、本発明の実施形態における波長多重光伝送システムの動作について説明する。光分岐多重パッケージ１とトランスポンダパッケージ２とが、光・メタルハイブリッドケーブルにより接続されると、両パッケージは電気通信を行う。光分岐多重パッケージ１の各ポートに設置されている通信デバイスは固有の波長情報を持ち、電気通信によりトランスポンダに対して波長情報を伝達する。
【００３５】
チューナブルトランスポンダパッケージ２は、光分岐多重パッケージ１の接続ポートと電気信号による通信を行い、ポートの波長情報（ＣＨ１）を受信する。この受信した波長情報（ＣＨ１）を用いて、ＷＤＭ出力デバイスである励起用半導体レーザ（ＬＤ）２１や、その他波長設定を必要とするデバイスへの制御を行う。これにより、トランスポンダパッケージ２は、ユーザ端末／上位監視システム３１（図３）からの設定がなくても、物理的な接続に適合した波長を選択することが可能となる。
【００３６】
次に、本発明の他の実施の形態について図面を参照して詳細に説明する。図２は、本発明の他の実施形態における波長多重光伝送システムの構成を示す概略図である。図２では、光分岐多重パッケージ１とトランスポンダパッケージ２との間の波長情報伝達用の通信を光信号のみで行う例を示している。光分岐多重パッケージ１の波長情報（ＣＨ１）を光信号に変換し、光カプラ１２を用いて主たる光通信信号用の光ファイバＭに合波する。トランスポンダパッケージ２では、この波長情報（ＣＨ１）用の光信号を、光カプラ２２を用いて分岐し、電気信号に変換して通信デバイス２０１に入力する。これにより、トランスポンダパッケージ２は、ユーザ端末／上位監視システム３１（図３）からの設定がなくても、物理的な接続に適合した波長を選択することが可能となる。
【００３７】
以上説明してきたように、本発明によれば、チューナブルトランスポンダパッケージと光分岐多重パッケージとの物理的な接続を識別するために、光ケーブルに電気信号を疎通させるメタルケーブルを並行させ、チューナブルトランスポンダパッケージと光分岐多重パッケージとの間に電気信号による通信を可能とする。そして、チューナブルトランスポンダパッケージは、光分岐多重パッケージの接続ポートと電気信号による通信を行い、接続ポートの波長情報を受信する。そして、この受信した波長情報を用いて通信デバイスへの制御を行う。これにより、トランスポンダパッケージは、ユーザ端末／上位監視システムからの設定がなくても、物理的な接続に適合した波長を選択することが可能となるのである。
【００３８】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【００３９】
上記の実施形態の一部又は全部は、以下の付記のようにも記載されうるが、以下には限られない。
（付記１）
光分離多重パッケージとトランスポンダとが光信号の伝送を行う第１のケーブルにより接続された波長多重光伝送システムであって、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備え、前記固有の波長情報は、前記第１のケーブルとは異なる第２のケーブルを用いて、前記第１の通信手段から前記第２の通信手段へ送信されることを特徴とする波長多重光伝送システム。
(付記２)
前記トランスポンダは、前記固有の波長情報を受信すると、励起用半導体レーザの波長設定を行うことを特徴とする付記１に記載の波長多重光伝送システム。
(付記３)
光分離多重パッケージとトランスポンダとが光通信信号の伝送を行うケーブルにより接続された波長多重光伝送システムであって、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備え、前記固有の波長情報は、前記ケーブルを用いて、前記第１の通信手段から前記第２の通信手段へ送信されることを特徴とする波長多重光伝送システム。
（付記４）
前記光分離多重パッケージは、前記固有の波長情報を光信号に変換する電気／光変換手段と、前記光信号を前記光通信信号に合波する光合波手段とを備え、前記トランスポンダは、前記光通信信号から前記光信号を分波する光分波手段と、前記光信号を前記固有の波長情報に変換する光／電気変換手段とを有することを特徴とする付記３に記載の波長多重光伝送システム。
（付記５）
前記トランスポンダは、前記固有の波長情報を受信すると、励起用半導体レーザの波長設定を行うことを特徴とする付記３又は４に記載の波長多重光伝送システム。
（付記６）
光分離多重パッケージとトランスポンダとが光信号の伝送を行う第１のケーブルにより接続され、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備えた波長多重光伝送システムの伝送方法であって、前記固有の波長情報は、前記第１のケーブルとは異なる第２のケーブルを用いて、前記第１の通信手段から前記第２の通信手段へ送信される工程を含むことを特徴とする波長多重光伝送方法。
（付記７）
光分離多重パッケージとトランスポンダとが光通信信号の伝送を行うケーブルにより接続され、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備えた波長多重光伝送システムの伝送方法であって、前記固有の波長情報は、前記ケーブルを用いて、前記第１の通信手段から前記第２の通信手段へ送信される工程を含むことを特徴とする波長多重光伝送方法。
（付記８）
光分離多重パッケージとトランスポンダとが光信号の伝送を行う第１のケーブルにより接続され、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備えた波長多重光伝送システムを制御するプログラムであって、前記固有の波長情報は、前記第１のケーブルとは異なる第２のケーブルを用いて、前記第１の通信手段から前記第２の通信手段へ送信される処理を含むことを特徴とするプログラム。
（付記９）
光分離多重パッケージとトランスポンダとが光通信信号の伝送を行うケーブルにより接続され、前記光分離多重パッケージは、前記トランスポンダと接続される側に各々が固有の波長情報を有する第１の通信手段を、前記トランスポンダは、前記光分離多重パッケージと接続される側に第２の通信手段をそれぞれ備えた波長多重光伝送システムを制御するプログラムであって、前記固有の波長情報は、前記ケーブルを用いて、前記第１の通信手段から前記第２の通信手段へ送信される処理を含むことを特徴とするプログラム。
【符号の説明】
【００４０】
１    光分岐多重パッケージ
１１    アレイ導波路グレーティング（ＡＷＧ）
１０１、２０１    通信デバイス（ＣＨ１）
１０２    通信デバイス（ＣＨ２）
２    トランスポンダパッケージ
２１    励起用半導体レーザ（ＬＤ）
１２、２２    光カプラ
Ｄ    メタルケーブル
Ｌ    光ケーブル
Ｍ    光ファイバ
【図１】
2012165332.tif 000003
【図２】
2012165332.tif 000004
【図３】
2012165332.tif 000005